(57)【要約】【課題】ヒンジ軸の保護強化を図り、盗難防止効果の高い自動販売機を提供する。【解決手段】自動販売機本体１は、外箱１０と外扉２０がヒンジ３０で連結されている。このヒンジ３０は、外扉２０の天井板２８にヒンジ軸３３が固定されて、外扉２０が開閉自在となっている。このような自動販売機において、ヒンジプレート３０ａと天井板２８との間にヒンジ軸３３を覆う厚肉金属板製のカバープレート４０を天井板２８上に設置する。また、カバープレート４０の内側にヒンジ軸３３を保護するカラー及びガードリングを設けることも可能である。【選択図】  図１
2004258779.tif 000002
【特許請求の範囲】
【請求項１】
外扉と外箱とをヒンジプレートにて橋絡して連結し、ヒンジ軸を外扉の天井板に挿通して外扉を開閉自在にした自動販売機において、
前記ヒンジプレートと外扉の天井板との間にヒンジ軸を覆う厚肉金属板製のカバープレートを設けた
ことを特徴とする自動販売機。
【請求項２】
前記カバープレートは１枚の板に前記ヒンジ軸が挿通する孔を設けてなる
ことを特徴とする請求項１記載の自動販売機。
【請求項３】
外扉とヒンジプレートとの間でヒンジ軸を覆うガード及びカラーを備え、前記カバープレートは該ガード及びカラーを覆うように設けた
ことを特徴とする請求項１又は２記載の自動販売機。
【発明の詳細な説明】
【０００１】
【発明の属する技術分野】
本発明は、開閉自在な外扉の裏側に収納された商品を販売する自動販売機に関する。
【０００２】
【従来の技術】
従来、自動販売機のヒンジ軸を切断して外扉をこじ開ける等の犯罪を防止するために、ヒンジ軸の上端をヒンジカバーで覆ってヒンジ軸を保護する自動販売機が知られている（特許文献１参照）。また、ヒンジカバーに加えて外扉の外側とヒンジとの間のヒンジ軸をガードリング及びカラーで覆って、ヒンジ軸の保護をより強化する方法も採用されている。
【０００３】
【特許文献１】
特開平６−１８７５５５号公報。
【０００４】
【発明が解決しようとする課題】
しかしながら、上記従来の自動販売機では、ヒンジカバーは薄板板金を曲げ加工で成形したものとなっているため、バール等の工具を用いて変形することが比較的容易であり、防盗の効果がそれほど高くなかった。そのため、実質的にヒンジ軸を保護しているのはガードリング及びカラーのみとなって、ヒンジ軸は二重に保護されているにすぎず、防犯の確実性に欠けるという問題があった。
【０００５】
本発明は、上記事情に鑑みてなされたものであり、その目的とするところは、ヒンジ軸の保護強化を図り、盗難防止効果の高い自動販売機を提供することにある。
【０００６】
【課題を解決するための手段】
上記目的を達成するために、本願の請求項１の発明は、外扉と外箱とをヒンジプレートにて橋絡して連結し、ヒンジ軸を外扉の天井板に挿通して外扉を開閉自在にした自動販売機において、前記ヒンジプレートと外扉の天井板との間にヒンジ軸を覆う厚肉金属板製のカバープレートを設けている。
【０００７】
これにより、外扉の外側のヒンジ軸は厚肉金属板製のカバープレートで覆われる。
【０００８】
また、請求項２の発明は、請求項１の発明に係る自動販売機において、前記カバープレートは１枚の板に前記ヒンジ軸が挿通する孔を設けてなるようにしている。
【０００９】
これにより、ヒンジ軸は変形加工されない１枚板のカバープレートに設けられた孔を挿通する。
【００１０】
また、請求項３の発明は、請求項１又は２に係る自動販売機において、外扉とヒンジプレートとの間でヒンジ軸を覆うガード及びカラーを備え、前記カバープレートは該ガード及びカラーを覆うように設けている。
【００１１】
これにより、ヒンジ軸は、自動販売機本体の外側の部分において、ガード、カラー及びカバープレートにより三重に覆われる。
【００１２】
【発明の実施の形態】
図１乃至図５は本発明の実施形態に係るもので、図１は自動販売機の斜視図、図２は本願発明の要旨であるヒンジ付近の断面図、図３は図２に対応するヒンジ付近の分解断面図、図４はカバープレートの斜視図、図５はカバープレートを設置したヒンジの斜視図である。
【００１３】
図１に示すように、自動販売機本体１は、商品が収納される商品収納箱１ａと、該商品収納箱１ａの前方を開閉する外扉２０とを有し、商品収納箱１ａの外箱１０と外扉２０とがヒンジ３０で連結されて構成されている。
【００１４】
外扉２０の表面は、上側に商品見本展示室２１と商品見本展示室２１に展示された各商品に対応した商品選択ボタン２２とが設けられている。中央には、硬貨投入口２３、紙幣投入口２４、入金表示部２５、商品取出口２６及び釣り銭受取口２７等が設けられている。外扉２０の裏側には、図示しない投入された硬貨を識別して保管する硬貨選別装置と紙幣を識別して保管する紙幣選別装置とが設けられている。また、外扉２０の上面の天井板２８には、図２に示すように、後述するヒンジ３０のヒンジ軸３３が挿通される軸挿通孔２８ａが設けられている。
【００１５】
ヒンジ３０は、ヒンジプレート３０ａを有し、ヒンジプレート３０ａは１枚の金属板を上下に段差が形成されるように屈曲してなり、下板３１は、図５に示すように、外箱１０の上端にネジ１１で固定され、上板３２は図２に示すようにヒンジ軸３３で外扉２０の上端に固定される。このヒンジ軸３３を回転軸として、外扉２０を回動可能にしている。上板３２には、ヒンジ軸３３が挿通される軸挿通孔３２ａが設けられ、この軸挿通孔３２ａにヒンジ軸３３を通して、ヒンジ３０は外扉２０に固定されるようになっている。軸挿通孔３２ａに挿通されないヒンジ軸３３の上部は、上板３２の上面に溶接される。
【００１６】
このヒンジ軸３３は、図２及び図３に示すように、ヒンジプレート３０ａ及び外扉２０の天井板２８を挿通して、天井板２８の内側に取り付けられるようになっている。このとき、ヒンジプレート３０ａには、下側に金属をリング状に加工して形成された例えば鉄製等からなるガードリング３４が、軸挿通孔３２ａとガードリング３４のリング部分とが一致するようにして溶接されている。天井板２８の内側からは、下端につば部を有する筒状からなり、例えば鉄製等のカラー３５がヒンジ軸３３を取り巻くようにして取り付けられ、つば部により外扉２０の外に出ないようにして係止される。そして、このカラー３５の上側の先端部がガードリング３４とヒンジ軸３３との間の隙間に挿入されて、ヒンジ軸３３とカラー３５とガードリング３４はそれぞれ密接するようになっている。このカラー３５及びガードリング３４で二重に覆われたヒンジ軸３３は、さらにカバープレート４０で覆われる。
【００１７】
このカバープレート４０は、図４に示すように、厚さが６ｍｍ程度の曲げ加工のされていない例えば鉄製等の金属製の１枚板からなり、長手方向の一端寄りには、軸挿通孔４１が設けられている。この軸挿通孔４１はガードリング３４よりも大きいので、ガードリング３４がはめ込み可能となっている。また、図４に示すように、２箇所にネジ孔４２が設けられており、カバープレート４０は天井板２８上に載置された後、このネジ孔４２を２本のネジ４３でそれぞれネジ止めされて、外扉２０に固定される。尚、３７は軸挿通孔３７ａを有する外扉支持枠、３８は軸挿通孔３８ａを有する補強板である。
【００１８】
次に、上記自動販売機のヒンジ３０及びカバープレート４０の取付手順について説明する。まず、ヒンジ３０よりも先に、カバープレート４０を天井板２８上にネジ止めする。そして、軸挿通孔３２ａを挿通したヒンジ軸３３にはめ込んだガードリング３４を上板３２の下側に溶接する。この状態で、ヒンジ軸３３は、カバープレート４０の軸挿通孔４１、天井板２８の軸挿通孔２８ａ、外扉支持枠３７の軸挿通孔３７ａ及び補強板３８の軸挿通孔３８ａを順番に挿通する。このようにして、天井板２８の上側から、下板３１が外箱１０に、上板３２がカバープレート４０に載るようにヒンジプレート３０ａを設置する。天井板２８の下側から軸挿通孔２８ａを通って、ヒンジ軸３３の周囲を覆うようにしてカラー３５を取り付ける。このカラー３５の先端部分をガードリング３４とヒンジ軸３３との隙間に挿入する。さらに、カラー３５のつば部の下に突き出たヒンジ軸３３に下からナット３６を取り付ける。このナット３６で天井板２８の内側に突出したヒンジ軸３３を固定させて、図５に示すように、ヒンジプレート３０ａと天井板２８との間にカバープレート４０が挿入された状態で、ヒンジ３０を自動販売機本体１に取り付ける。このようにして、ヒンジ３０が取り付けられると、外扉２０とヒンジ３０の間のヒンジ軸３３は、カラー３５、ガードリング３４及びカバープレート４０により三重に覆われる。
【００１９】
このように、本発明の実施形態によれば、外扉２０の天井板２８とヒンジプレート３０ａとの間の部分のヒンジ軸３３が厚肉金属板製のカバープレート４０で覆われるので、自動販売機本体１の外部からヒンジ軸３３を変形したり切断することが困難になる。
【００２０】
さらに、このカバープレート４０は１枚の金属板に孔をあけた形状となっており、１枚の金属板を変形加工して形成した従来のヒンジカバーと比較すると、変形で弱まっていないので、板そのものが頑丈であり、バール等での変形や切断が困難となる。
【００２１】
また、ヒンジ軸３３がガードリング３４、カラー３５及びカバープレート４０で三重に保護されるので、自動販売機本体１の外側から完全にヒンジ軸３３が覆い隠され、ヒンジ３０と天井板２８との隙間にバール等を差し込むことが確実に防止される。
【００２２】
【発明の効果】
以上詳述したように、請求項１の発明によれば、ヒンジ軸の外扉の外部に露出する部分が厚肉金属板製のカバープレートで覆われるので、ヒンジ軸の変形や切断が防止され、自動販売機の防犯の効果を高めることができる。
【００２３】
また、請求項２の発明によれば、前記カバープレートは変形加工がされていないので、バール等の工具を用いても変形することが困難となり、ヒンジ軸が確実に保護されて、自動販売機の防犯の効果をより一層高めることができる。
【００２４】
また、請求項３の発明によれば、ヒンジ軸は三重に覆われるので、外からヒンジ軸を変形、切断することがより一層困難となり、防犯防盗の効果をさらに高めることができる。
【図面の簡単な説明】
【図１】本発明の実施形態に係る自動販売機の斜視図
【図２】本発明の要旨であるヒンジ付近の断面図
【図３】図２対応のヒンジ付近の分解断面図
【図４】本発明の要旨であるカバープレートの斜視図
【図５】カバープレートを設置したヒンジの斜視図
【符号の説明】
１…自動販売機本体、１０…外箱、２０…外扉、２８…天井板、３０…ヒンジ、３０ａ…ヒンジプレート、３３…ヒンジ軸、３４…ガードリング、３５…カラー、４０…カバープレート。
【図１】
2004258779.tif 000003
【図２】
2004258779.tif 000004
【図３】
2004258779.tif 000005
【図４】
2004258779.tif 000006
【図５】
2004258779.tif 000007